(57)【要約】【課題】偏平な一の配線部材において導体の配設経路の自由度を高めることができる技術を提供することを目的とする。【解決手段】配線部材１０は、シート材２０と、前記シート材２０の主面上において交差部４０を有するように配設された複数の絶縁電線３０と、を備える。例えば、前記交差部４０における下側電線部４２の絶縁被覆３４が、前記交差部４０の位置で前記シート材２０に固定されており、この固定部分における前記下側電線部４２の絶縁被覆３４と前記シート材２０とのうち少なくとも一方の厚みが薄くなっている。また例えば、前記交差部４０における上側電線部４４を構成する絶縁電線３０が、前記交差部４０を挟む第１位置Ｐ１及び第２位置Ｐ２でそれぞれ前記シート材２０と固定されている。【選択図】図１
2020031532.tif 000002
【特許請求の範囲】
【請求項１】
シート材と、
前記シート材の主面上において交差部を有するように配設された複数の絶縁電線と、
を備える、配線部材。
【請求項２】
請求項１に記載の配線部材であって、
前記交差部における下側電線部の絶縁被覆が、前記交差部の位置で前記シート材に固定されており、この固定部分における前記下側電線部の絶縁被覆と前記シート材とのうち少なくとも一方の厚みが薄くなっている、配線部材。
【請求項３】
請求項１又は請求項２に記載の配線部材であって、
前記交差部における上側電線部を構成する絶縁電線が、前記交差部を挟む第１位置及び第２位置でそれぞれ前記シート材と固定されている、配線部材。
【請求項４】
請求項３に記載の配線部材であって、
前記第１位置と前記第２位置との間隔が３０ミリメートル以下である、配線部材。
【請求項５】
請求項４に記載の配線部材であって、
前記第１位置と前記第２位置との間隔が２０ミリメートル以下である、配線部材。
【請求項６】
請求項３から請求項５のいずれか１項に記載の配線部材であって、
前記第１位置及び前記第２位置と前記交差部との間隔がそれぞれ前記上側電線部を構成する絶縁電線の最小曲げ半径以上である、配線部材。
【請求項７】
請求項３から請求項６のいずれか１項に記載の配線部材であって、
前記上側電線部を構成する絶縁電線は、前記第１位置及び前記第２位置以外の箇所でも長手方向に沿って、前記第１位置と前記第２位置との間隔とは異なる間隔をあけて前記シート材に固定されている、配線部材。
【請求項８】
請求項１から請求項７のいずれか１項に記載の配線部材であって、
前記絶縁電線のうち前記交差部を構成する部分が偏平である、配線部材。
【請求項９】
請求項８に記載の配線部材であって、
前記絶縁電線のうち前記交差部以外の部分において前記交差部を構成する部分よりも偏平でない部分が存在する、配線部材。
【発明の詳細な説明】
【技術分野】
【０００１】
この発明は、車両に搭載される電気部品をつなぐ配線部材に関する。
【背景技術】
【０００２】
車両に搭載される電気部品をつなぐ配線部材が偏平に形成されたものとして、例えばフレキシブルフラットケーブル（ＦＦＣ）又はフレキシブルプリント基板（ＦＰＣ）が存在する（例えば特許文献１参照）。
【先行技術文献】
【特許文献】
【０００３】
【特許文献１】特開２０１４−１１９１０号公報
【発明の概要】
【発明が解決しようとする課題】
【０００４】
しかしながら、上記ＦＦＣ、ＦＰＣでは、一の配線部材内で導体同士を短絡させずに交差させることが難しい。このため、一の配線部材における導体の配設経路が制限されていた。
【０００５】
そこで本発明は、偏平な一の配線部材において導体の配設経路の自由度を高めることができる技術を提供することを目的とする。
【課題を解決するための手段】
【０００６】
上記課題を解決するため、第１の態様に係る配線部材は、シート材と、前記シート材の主面上において交差部を有するように配設された複数の絶縁電線と、を備える。
【０００７】
第２の態様に係る配線部材は、第１の態様に係る配線部材であって、前記交差部における下側電線部の絶縁被覆が、前記交差部の位置で前記シート材に固定されており、この固定部分における前記下側電線部の絶縁被覆と前記シート材とのうち少なくとも一方の厚みが薄くなっている。
【０００８】
第３の態様に係る配線部材は、第１又は第２の態様に係る配線部材であって、前記交差部における上側電線部を構成する絶縁電線が、前記交差部を挟む第１位置及び第２位置でそれぞれ前記シート材と固定されている。
【０００９】
第４の態様に係る配線部材は、第３の態様に係る配線部材であって、前記第１位置と前記第２位置との間隔が３０ミリメートル以下である。
【００１０】
第５の態様に係る配線部材は、第４の態様に係る配線部材であって、前記第１位置と前記第２位置との間隔が２０ミリメートル以下である。
【００１１】
第６の態様に係る配線部材は、第３から第５のいずれか１つの態様に係る配線部材であって、前記第１位置及び前記第２位置と前記交差部との間隔がそれぞれ前記上側電線部を構成する絶縁電線の最小曲げ半径以上である。
【００１２】
第７の態様に係る配線部材は、第３から第６のいずれか１つの態様に係る配線部材であって、前記上側電線部を構成する絶縁電線は、前記第１位置及び前記第２位置以外の箇所でも、長手方向に沿って前記第１位置と前記第２位置との間隔とは異なる間隔をあけて前記シート材に固定されている。
【００１３】
第８の態様に係る配線部材は、第１から第７のいずれか１つの態様に係る配線部材であって、前記絶縁電線のうち前記交差部を構成する部分が偏平である。
【００１４】
第９の態様に係る配線部材は、第８の態様に係る配線部材であって、前記絶縁電線のうち前記交差部以外の部分において前記交差部を構成する部分よりも偏平でない部分が存在する。
【発明の効果】
【００１５】
各態様によると、シート材上で絶縁電線を交差させることによって、偏平な一の配線部材において導体の配設経路の自由度を高めることができる。
【００１６】
第２の態様によると、交差部の高さを低くすることができ、もって配線部材の厚みが大きくなることを抑えることができる。
【００１７】
第３の態様によると、配線部材が曲げられた場合でも上側電線部が浮きにくくなる。
【００１８】
第４の態様によると、配線部材が曲げられた場合でも上側電線部がより浮きにくくなるとともに、浮いた場合の量を小さくできる。
【００１９】
第５の態様によると、配線部材が曲げられた場合でも上側電線部が特に浮きにくくなるとともに、浮いた場合の量をさらに小さくできる。
【００２０】
第６の態様によると、交差部の前後で曲がる上側電線部が傷つきにくい。
【００２１】
第７の態様によると、絶縁電線の配設形態に応じて固定することができる。
【００２２】
第８の態様によると、交差部の高さを低くすることができる。
【００２３】
第９の態様によると、電線として例えば丸電線などの汎用電線を使用した場合にも、交差部の高さを低くすることができる。
【図面の簡単な説明】
【００２４】
【図１】実施形態に係る配線部材を示す平面図である。
【図２】図１のＩＩ−ＩＩ線に沿って切断した概略断面図である。
【図３】図１のＩＩＩ−ＩＩＩ線に沿って切断した概略断面図である。
【図４】変形例に係る配線部材を示す概略断面図である。
【図５】変形例に係る配線部材を示す概略断面図である。
【発明を実施するための形態】
【００２５】
｛実施形態｝
以下、実施形態に係る配線部材について説明する。図１は、実施形態に係る配線部材１０を示す平面図である。図２は、図１のＩＩ−ＩＩ線に沿って切断した概略断面図である。図３は、図１のＩＩＩ−ＩＩＩ線に沿って切断した概略断面図である。
【００２６】
配線部材１０は、車両に搭載される電気部品をつなぐ部材である。配線部材１０は、偏平に形成されている。配線部材１０は、シート材２０と、複数の絶縁電線３０と、を備える。
【００２７】
シート材２０は、複数の絶縁電線３０を偏平な状態に保持する。シート材２０を構成する材料は特に限定されるものではないが、シート材２０は、好ましくはＰＶＣ（ポリ塩化ビニル）、ＰＥＴ（ポリエチレンテレフタレート）、ＰＰ（ポリプロピレン）などの樹脂を含む材料によって形成される。シート材２０は、金属などの材料を含むこともあり得る。シート材２０は、好ましくは、可撓性を有する。シート材２０は、単層であってもよいし、複数層積層されていてもよい。複数層積層されている場合、例えば、樹脂層と樹脂層とが積層されていることが考えられる。また例えば、樹脂層と金属層とが積層されていることが考えられる。また例えば、金属層と金属層とが積層されていることが考えられる。
【００２８】
図１に示す例では、シート材２０は方形状に形成されているが、シート材２０の形状はこれに限られない。シート材２０は、絶縁電線３０の配設経路等に応じた形状に形成されるとよい。絶縁電線３０が配設されない部分は、適宜省略可能である。例えば、図１に示す例において絶縁電線３０が配設されない部分が省略されてＴ字状などにされていることも考えられる。またシート材２０のうち絶縁電線３０が配設されない部分、より詳細には電線配設面の空部分又は電線配設面とは反対側面には、マーキングが施されることも考えられる。係るマーキング形状は特に限定されるものではなく、例えば文字であってもよいし、バーコード、ＱＲコード（登録商標）などであってもよい。また係るマーキングに含まれる情報は特に限定されるものではなく、例えば、製造番号、端末名、品番など当該配線部材１０に係る各種情報が含まれることが考えられる。また係るマーキング手段は特に限定されるものではなく、印刷によるもの、凹凸形状によるものなど各種手段を採用することができる。またシート材２０は、例えば、その色の違いによって、部品分け、種別分けがなされてもよい。
【００２９】
絶縁電線３０は、車両に搭載される電気部品をつなぐ部材である。絶縁電線３０は、電源を供給する電源線、信号を伝達する信号線などとして用いられる。シート材２０上に配設される絶縁電線３０のすべてが、電源線として用いられてもよいし、信号線として用いられてもよい。また電源線として用いられる絶縁電線３０と信号線として用いられる絶縁電線３０との両方がシート材２０上に混在するように配設されていてもよい。
【００３０】
具体的には各絶縁電線３０は、芯線３２と、芯線３２を覆う絶縁被覆３４とを含む。芯線３２は、１本又は複数本の素線で構成される。素線は、銅、銅合金、アルミニウム、アルミニウム合金等の導体で形成される。芯線３２が複数本の素線で構成される場合、複数本の素線は撚られていることが好ましい。絶縁被覆３４は、ＰＶＣ、ＰＥ（ポリエチレン）などの樹脂材料が芯線３２の周囲に押出成形されたり、エナメルなどの樹脂塗料が芯線３２の周囲に塗布されたりして形成される。
【００３１】
絶縁電線３０は、一般電線、シールド線、ツイスト線、アンテナ線などであってもよい。また、絶縁電線３０は、単一の物でもよいし、各種複合した物（複合物をシースで覆ったケーブル等）でもよい。以下では絶縁電線３０は、横断面が円形のいわゆる丸電線である一般電線であるものとして説明する。
【００３２】
絶縁電線３０は、例えば端部に設けられた端子、コネクタなどを介して車両に搭載される電気部品に接続される。図１に示す例では、絶縁電線３０の端部はシート材２０から外方に延出しているが、絶縁電線３０の端部がシート材２０上に配設されている場合もあり得る。
【００３３】
複数の絶縁電線３０は、シート材２０の主面上において交差部４０を有するように配設されている。以下では、交差部４０において下側に位置する絶縁電線３０を下側電線部４２と称し、上側に位置する絶縁電線３０を上側電線部４４と称する。また、下側電線部４２を形成する絶縁電線３０を絶縁電線３０ａと称し、上側電線部４４を形成する絶縁電線３０を絶縁電線３０ｂと称することがある。下側電線部４２は、交差部４０において最もシート材２０側に位置する絶縁電線３０である。下側電線部４２は、通常シート材２０と接している。上側電線部４４は、交差部４０において下側電線部４２に対してシート材２０と反対側に重ねられる絶縁電線３０である。上側電線部４４は、通常下側電線部４２と接している。
【００３４】
ここで一の交差部４０における下側電線部４２の数は、１本であってもよいし、複数本であってもよい。同様に一の交差部４０における上側電線部４４の数は、１本であってもよいし、複数本であってもよい。一の交差部４０における上側電線部４４の数と下側電線部４２の数とは同じであってもよいし、異なっていてもよい。図１に示す例は、一の交差部４０における上側電線部４４の数と下側電線部４２の数とが共に３本である事例である。このため、一の交差部４０において一の下側電線部４２の上を３本の上側電線部４４が越えている。また一の交差部４０において一の上側電線部４４が３本の下側電線部４２を越えている。
【００３５】
複数の絶縁電線３０は、シート材２０の主面上に固定されている。係る固定態様として、接触部位固定であってもよいし、非接触部位固定であってもよいし、両者が併用されていてもよい。ここで接触部位固定とは、絶縁電線３０とシート材２０とが接触する部分がくっついて固定されているものである。また、非接触部位固定とは、接触部位固定でない固定態様であり、例えば、縫糸、別のシート材、粘着テープなどが、絶縁電線３０をシート材２０に向けて押え込んだり、絶縁電線３０とシート材２０とを挟み込んだりして、その状態に維持するものである。以下では、絶縁電線３０とシート材２０とが、接触部位固定の状態にあるものとして説明する。
【００３６】
係る接触部位固定の態様として、接触部位間接固定であってもよいし、接触部位直接固定であってもよいし、異なる領域で両者が併用されていてもよい。ここで接触部位間接固定とは、絶縁電線３０とシート材２０とが、その間に設けられた接着剤、粘着剤、両面粘着テープなどを介して間接的にくっついて固定されているものである。また接触部位直接固定とは、絶縁電線３０とシート材２０とが別に設けられた接着剤等を介さずに直接くっついて固定されているものである。接触部位直接固定では、例えば絶縁電線３０とシート材２０とのうち少なくとも一方に含まれる樹脂が溶かされることによってくっついて固定されることが考えられる。以下では、絶縁電線３０とシート材２０とが、接触部位直接固定の状態にあるものとして説明する。
【００３７】
係る接触部位直接固定の状態が形成されるに当たり、樹脂は、例えば、熱によって溶かされることも考えられるし、溶剤によって溶かされることも考えられる。つまり、接触部位直接固定の状態としては、熱による接触部位直接固定の状態であってもよいし、溶剤による接触部位直接固定の状態であってもよい。好ましくは、熱による接触部位直接固定の状態であるとよい。
【００３８】
このとき接触部位直接固定の状態を形成する手段は特に限定されるものではなく、溶着、融着、溶接等の公知の手段を用いることができる。例えば、溶着によって熱による接触部位直接固定の状態を形成する場合、超音波溶着、加熱加圧溶着、熱風溶着、高周波溶着など種々の溶着手段を採用することができる。またこれらの手段によって接触部位直接固定の状態が形成されると、絶縁電線３０とシート材２０とは、その手段による接触部位直接固定の状態とされる。具体的には、例えば、超音波溶着によって接触部位直接固定の状態が形成されると、絶縁電線３０とシート材２０とは、超音波溶着による接触部位直接固定の状態とされる。以下では、絶縁被覆３４とシート材２０とは、超音波溶着による接触部位直接固定の状態とされているものとして説明する。
【００３９】
接触部位直接固定の場合、絶縁電線３０の絶縁被覆３４に含まれる樹脂と、シート材２０に含まれる樹脂とのうちいずれか一方のみが溶けていてもよいし、両方が共に溶けていてもよい。前者の事例の場合、溶けた方の樹脂が溶けない方の樹脂の外面にくっついた状態となり、比較的はっきりした界面が形成されることがある。後者の事例の場合、両方の樹脂が混ざり合ってはっきりした界面が形成されないことがある。特に、絶縁電線３０の絶縁被覆３４とシート材２０とが、同じ樹脂材料など相溶しやすい樹脂を含む場合などに、両方の樹脂が混ざり合ってはっきりした界面が形成されないことがある。
【００４０】
絶縁電線３０は、長手方向に間隔をあけた複数箇所でシート材２０と固定（ここでは溶着）されている。図１に示す例では、固定箇所Ｐが仮想線で示されている。もっとも絶縁電線３０は長手方向に一連にシート材２０と固定されていてもよい。
【００４１】
上側電線部４４を構成する絶縁電線３０ｂは、交差部４０を挟む第１位置Ｐ１及び第２位置Ｐ２でそれぞれシート材２０と固定（ここでは溶着）されている。また絶縁電線３０ｂは、第１位置Ｐ１及び第２位置Ｐ２以外の箇所でもそれぞれシート材２０と固定（ここでは溶着）されている。絶縁電線３０ｂが、第１位置Ｐ１及び第２位置Ｐ２以外の箇所でシート材２０に固定されている間隔を以下では、第１間隔Ｄ１と称する。また第１位置Ｐ１と第２位置Ｐ２との間隔を第２間隔Ｄ２と称する。
【００４２】
第１間隔Ｄ１、第２間隔Ｄ２は、特に限定されるものではない。第１間隔Ｄ１、第２間隔Ｄ２が比較的小さく設定されていると、絶縁電線３０がより強固にシート材２０に固定され、また配線部材１０が曲げられた際に絶縁電線３０が固定箇所間でシート材２０から浮きにくくなる。これに対して第１間隔Ｄ１、第２間隔Ｄ２が比較的大きく設定されていると、絶縁電線３０をシート材２０に固定するのに係る時間を短縮できる。従って、第１間隔Ｄ１、第２間隔Ｄ２は、これらに鑑みて適宜設定されればよい。
【００４３】
第１間隔Ｄ１は、ここでは概ね一定である。またここでは第１間隔Ｄ１は、交差部４０を形成しない絶縁電線３０とシート材２０との固定間隔と同じである。
【００４４】
第２間隔Ｄ２は、ここでは第１間隔Ｄ１とは異なる。特にここでは第２間隔Ｄ２は、第１間隔Ｄ１よりも小さい。例えば第２間隔Ｄ２は、３０ミリメートル以下であることが好ましい。さらに例えば第２間隔Ｄ２は、２０ミリメートル以下であることがより好ましい。
【００４５】
第２間隔Ｄ２が第１間隔Ｄ１よりも小さいのは、配線部材１０が曲げられた際に、絶縁電線３０ｂのうち上側電線部４４となる部分が、交差部４０を形成しない部分よりも固定箇所間でシート材２０から浮きやすいことによる。より詳細には、絶縁電線３０ｂは、第１位置Ｐ１と第２位置Ｐ２との間で下側電線部４２を越える部分で、シート材２０から離れる方向に曲がっている。このため、電線配設面が内側となるように配線部材１０が曲げられた際に、絶縁電線３０ｂは、第１位置Ｐ１と第２位置Ｐ２との間で、シート材２０から浮く方向に曲がり易く、下側電線部４２から浮きやすい。これに対して絶縁電線３０ｂのうち交差部４０を形成しない部分では、シート材２０に沿って延出している。このため、電線配設面が内側となるように配線部材１０が曲げられた際に、絶縁電線３０ｂのうち交差部４０を形成しない部分は、シート材２０の曲げ方向に追従して曲がることができることによって、シート材２０から浮きにくい。
【００４６】
ここで上記のような配線部材１０の曲げは、例えば配線部材１０を車両に組付けるときなどに起こり得る。配線部材１０を車両に組付けるときに、配線部材１０の曲げによって絶縁電線３０がシート材２０から浮くと、その浮いた部分が周囲の部材に引っ掛かって傷ついたり、絶縁電線３０がシート材２０から外れたりする恐れがある。特に偏平な配線部材１０が組み付けられる箇所は、狭い箇所である場合が多く、少しの浮きでも引っ掛かってしまう恐れがある。これに対してここでは、第２間隔Ｄ２が第１間隔Ｄ１よりも小さくされていることによって、絶縁電線３０ｂが第１位置Ｐ１と第２位置Ｐ２との間の部分でもシート材２０から浮きにくくされ、もってこれらの事態が生じにくくなる。
【００４７】
第１位置Ｐ１と交差部４０との間隔を第３間隔Ｄ３とする。また第２位置Ｐ２と交差部４０との間隔を第４間隔Ｄ４とする。ここで第３間隔Ｄ３は、例えば下側電線部４２のうち最も第１位置Ｐ１側の下側電線部４２ａと第１位置Ｐ１との間隔であることが考えられる。同様に第４間隔Ｄ４は、例えば下側電線部４２のうち最も第２位置Ｐ２側の下側電線部４２ｂと第２位置Ｐ２との間隔であることが考えられる。第３間隔Ｄ３及び第４間隔Ｄ４は、それぞれ上側電線部４４を構成する絶縁電線３０ｂの最小曲げ半径（最小屈曲半径、許容曲げ半径などとも言う）以上に設定されている。
【００４８】
ここで最小曲げ半径は、絶縁電線３０が曲げて配設される際、それを超えた曲げ半径で曲げられることを推奨する値である。より詳細には、絶縁電線３０が曲げられると、内周側と外周側との間に周長差が生じ、これにより内周側には圧縮される力がかかり、外周側には伸長される力がかかる。絶縁電線３０の曲げ半径が小さくなると、一般にこの力が大きくなる。そしてこの力が大きくなると、絶縁電線３０が座屈したり断線したりする恐れがある。よって、この力が大きくなり過ぎないように、絶縁電線３０には最小曲げ半径が設定されている。
【００４９】
最小曲げ半径は、絶縁電線３０の材料、形状、配設状況（固定又は可動など）等に応じて適宜設定される値である。最小曲げ半径は、通常、絶縁電線３０の種類ごとに設定される値である。最小曲げ半径は、通常、絶縁電線３０の直径の数倍に設定される場合が多い。
【００５０】
第３間隔Ｄ３及び第４間隔Ｄ４が、それぞれ上側電線部４４を構成する絶縁電線３０ｂの最小曲げ半径以上に設定されていることによって、上側電線部４４を構成する絶縁電線３０ｂが最小曲げ半径より小さい半径で曲げられることを抑制することができる。これにより、絶縁電線３０ｂが傷ついたり、断線したりすることを抑制できる。
【００５１】
下側電線部４２を構成する絶縁電線３０ａの絶縁被覆３４は、交差部４０の位置Ｐ３でシート材２０に固定されている。この際、当該固定部分における下側電線部４２を構成する絶縁電線３０ａの絶縁被覆３４とシート材２０とのうち少なくとも一方の厚みがその周囲の部分と比べて薄くなっている。ここでは交差部４０の位置Ｐ３で下側電線部４２を構成する絶縁電線３０ａの絶縁被覆３４とシート材２０とが溶着されていることによって当該接着部分における下側電線部４２を構成する絶縁電線３０ａの絶縁被覆３４とシート材２０とのうち少なくとも一方の厚みが薄くなっている。これにより、下側電線部４２の絶縁被覆３４とシート材２０との厚みの和が溶着前よりも小さくなる。ここでは、一の交差部４０において一の下側電線部４２の上を、３本の上側電線部４４が越えている。このように一の交差部４０において一の下側電線部４２の上を複数本の上側電線部４４が越えている場合、一の下側電線部４２のうち複数の上側電線部４４と重なる部分それぞれの絶縁被覆３４が、シート材２０と溶着されているとよい。
【００５２】
ここでは、一の交差部４０において交差部４０全体に亘って下側電線部４２の絶縁被覆３４がシート材２０と溶着されている。つまり、一の交差部４０において一の下側電線部４２のうち複数の上側電線部４４と重なる部分それぞれに加えて、複数の上側電線部４４と重なる部分の間の部分の絶縁被覆３４がシート材２０と溶着されている。もっとも、一の交差部４０において一の下側電線部４２のうち複数の上側電線部４４と重なる部分の間の部分の絶縁被覆３４がシート材２０と溶着されていない場合もあり得る。
【００５３】
以上のように構成された配線部材１０によると、シート材２０上で絶縁電線３０を交差させることによって、偏平な一の配線部材１０において導体の配設経路の自由度を高めることができる。
【００５４】
また下側電線部４２を構成する絶縁電線３０ａの絶縁被覆３４が、交差部４０の位置でシート材２０に溶着されているため、交差部４０の高さを低くすることができ、もって配線部材１０の厚みが大きくなることを抑えることができる。
【００５５】
また上側電線部４４を構成する絶縁電線３０ｂが、交差部４０を挟む第１位置Ｐ１及び第２位置Ｐ２でそれぞれシート材２０と固定されているため、配線部材１０が曲げられた場合でも上側電線部４４が浮きにくくなる。このとき第１位置Ｐ１と第２位置Ｐ２との第２間隔Ｄ２が３０ミリメートル以下であると、配線部材１０が曲げられた場合でも上側電線部４４が浮きにくくなるとともに、浮いた場合の量を小さくできる。特に第１位置Ｐ１と第２位置Ｐ２との第２間隔Ｄ２が２０ミリメートル以下であると、配線部材１０が曲げられた場合でも上側電線部４４が特に浮きにくくなるとともに、浮いた場合の量をより小さくできる。
【００５６】
また第１位置Ｐ１及び第２位置Ｐ２と交差部４０との第３間隔Ｄ３及び第４間隔Ｄ４が、それぞれ上側電線部４４を構成する絶縁電線３０ｂの最小曲げ半径以上であるため、絶縁電線３０ｂが最小曲げ半径より小さい曲げ半径で曲げられることが抑制され、交差部４０の前後で曲がる上側電線部４４が傷つきにくい。
【００５７】
また上側電線部４４を構成する絶縁電線３０ｂは、第１位置Ｐ１及び第２位置Ｐ２以外の箇所でも長手方向に沿って、第１位置Ｐ１と第２位置Ｐ２との第２間隔Ｄ２とは異なる第１間隔Ｄ１をあけてシート材２０に固定されているため、絶縁電線３０の配設形態に応じて固定することができる。
【００５８】
また複数の絶縁電線３０は、シート材２０上に位置決めされているため、回路に応じて色分けされずに単色であっても、回路の識別が可能となる。もちろん複数の絶縁電線３０は回路に応じて色分けされていてもよい。
【００５９】
｛変形例｝
図４及び図５は、変形例に係る配線部材１１０を示す概略断面図である。図４は、図２に対応する位置における概略断面図である。図５は、図３に対応する位置における概略断面図である。
【００６０】
変形例に係る配線部材１１０において絶縁電線１３０のうち交差部１４０を構成する部分が偏平である。このように絶縁電線１３０のうち交差部１４０を構成する部分が偏平であることによって、交差部１４０の高さを低くすることができる。この際、ここでは上側電線部１４４と下側電線部１４２との両方が偏平にされているが、このことは必須の構成ではない。上側電線部１４４と下側電線部１４２とのうち上側電線部１４４のみが偏平にされていてもよいし、下側電線部１４２のみが偏平にされていてもよい。しかしながら、上側電線部１４４と下側電線部１４２との両方が偏平にされると、いずれか一方のみが偏平にされる場合と比べて、交差部１４０の高さをより低くすることができる。
【００６１】
配線部材１１０において絶縁電線１３０のうち交差部１４０以外の部分において交差部１４０を構成する部分よりも偏平でない部分が存在する。より詳細には、配線部材１１０においても実施形態と同様に絶縁電線１３０として丸電線が用いられている。この丸電線のうち交差部１４０となる部分がプレスされて潰されることによって、交差部１４０となる部分が偏平にされている。このとき、交差部１４０以外の部分において、丸電線が潰されないか潰されるにしてもその量が少ない部分が存在することによって、絶縁電線１３０のうち交差部１４０以外の部分において交差部１４０を構成する部分よりも偏平でない部分が存在する。例えば、交差部１４０を構成する部分を有する絶縁電線１３０のうちシート材２０上に配設される部分において、交差部１４０を構成せず、かつ、シート材２０に固定されない部分が、丸電線が潰されないか潰されるにしてもその量が少ない部分となり得る。
【００６２】
絶縁電線１３０が潰される場合、加熱を伴ってプレスされることが考えられる。また、上側電線部１４４と下側電線部１４２とが重なった状態でプレスされて潰されることが考えられる。これらの条件が同時に満たされる場合、加熱温度は低い方が好ましい。加熱温度が高いと、絶縁被覆３４が流動し、上側電線部１４４と下側電線部１４２とが短絡する恐れがあるためである。
【００６３】
このように絶縁電線１３０のうち交差部１４０以外の部分において交差部１４０を構成する部分よりも偏平でない部分が存在すると、絶縁電線１３０として例えば丸電線などの汎用電線を使用した場合にも、交差部１４０を構成する部分が潰されるなどして偏平にされることによって交差部１４０の高さを低くすることができる。
【００６４】
特にここでは絶縁電線１３０のうち交差部１４０を構成する部分が、交差部１４０以外の部分よりも偏平である。つまり、絶縁電線１３０のうち交差部１４０を構成する部分が最も潰されている部分とされる。これにより交差部１４０の高さをより低くすることができる。なお、絶縁電線１３０の端部においては端子との接続のために絶縁電線１３０が偏平とされることがあり得る。この場合、絶縁電線１３０の端部が、絶縁電線１３０のうち交差部１４０を構成する部分よりも偏平であることもあり得る。この場合、絶縁電線１３０のうち交差部１４０を構成する部分が、交差部１４０以外の中間部分よりも偏平であるとよい。
【００６５】
上記配線部材１１０は、絶縁電線１３０の一部が偏平にされている例であるが、絶縁電線１３０が全体に亘って偏平に形成されていることも考えられる。この場合、係る絶縁電線１３０として、いわゆる平角電線などの予め偏平に形成された絶縁電線１３０を採用することができる。もちろん丸電線が全体に亘って潰されることによって絶縁電線１３０が全体に亘って偏平に形成されていてもよい。
【００６６】
また絶縁電線１３０の一部が偏平にされている場合、絶縁電線１３０のうちシート材２０上に配設される部分が全体に亘って偏平に形成され、シート材２０上に配設されない部分に偏平でない部分が存在していてもよい。これにより配線部材１１０のうちシート材２０にかかる部分の厚みを小さくすることができる。
【００６７】
この他、これまで示した例では、上側電線部４４の上には絶縁電線３０が重ねられていないが、上側電線部４４の上にさらに絶縁電線３０が重ねられている場合もあり得る。つまりこれまで示した例は、交差部４０において絶縁電線３０が二重に交差するものであったが、絶縁電線３０が三重以上に交差している場合もあり得る。
【００６８】
またこれまで示した例では、一の絶縁電線３０が長手方向に沿った一箇所で交差部４０を構成していたが、一の絶縁電線３０が長手方向に沿った複数箇所で交差部４０を構成している場合もあり得る。この場合、当該一の絶縁電線３０が、全ての交差部４０で上側電線部４４を構成している場合もあり得るし、全ての交差部４０で下側電線部４２を構成している場合もあり得る。さらに当該一の絶縁電線３０が一の交差部４０では上側電線部４４を構成し、別の交差部４０では下側電線部４２を構成している場合もあり得る。
【００６９】
またこれまで示した例では、一の交差部４０において一の上側電線部４４が複数の下側電線部４２を越えていたが、一の交差部４０において一の上側電線部４４が越える下側電線部４２の数が多くなったり、太さが太くなったりすると、第１位置Ｐ１と第２位置Ｐ２との第２間隔Ｄ２が大きくなる。この場合、越えるべき下側電線部４２を複数のグループに分割して複数の交差部４０を形成するとよい。つまり、一の上側電線部４４が一の交差部４０において一のグループの下側電線部４２を越え、別の交差部４０において別のグループの下側電線部４２を越えるように構成されているとよい。これにより、一の交差部４０において越えるべき下側電線部４２の数を減らすことができ、各交差部４０において第１位置Ｐ１と第２位置Ｐ２との第２間隔Ｄ２を小さくできる。この場合、隣り合う交差部４０の間において上側電線部４４を構成する絶縁電線３０とシート材２０との固定箇所が一になることもあり得る。この一の固定箇所は、隣り合う交差部４０のうち一方の交差部４０に対する第１位置Ｐ１であり、他方の交差部４０に対する第２位置Ｐ２であるとみなすことができる。
【００７０】
またこれまで示した例では、交差部４０における上側電線部４４が曲がった経路に沿って配設されていたが、直線状の経路に沿って配設されていてもよい。また一の交差部４０において複数の上側電線部４４が存在する場合、曲がった経路に沿って配設される上側電線部４４と、直線状の経路に沿って配設される上側電線部４４とのうちいずれか一方のみが存在していてもよいし、両方が存在していてもよい。
【００７１】
同様に、交差部４０における下側電線部４２が曲がった経路に沿って配設されていたが、直線状の経路に沿って配設されていてもよい。また一の交差部４０において複数の下側電線部４２が存在する場合、曲がった経路に沿って配設される下側電線部４２と、直線状の経路に沿って配設される下側電線部４２とのうちいずれか一方のみが存在していてもよいし、両方が存在していてもよい。
【００７２】
またこれまで示した例では、シート材２０上に配設される絶縁電線３０のすべてが同じ径であったが、径の異なる絶縁電線３０がシート材２０上に混在するように配設されていてもよい。例えば、電源線と信号線とを混在させる場合、電源線は信号線よりも比較的電流が大きくなり易いため、電源線として太径の絶縁電線が用いられ、信号線として細径の絶縁電線が用いられることが考えられる。
【００７３】
径の異なる絶縁電線３０がシート材２０上に混在するように配設されている場合であって、シート材２０上に交差部４０が形成されている場合、交差部４０を構成する絶縁電線３０として、太径の絶縁電線と細径の絶縁電線とのうちいずれが採用されてもよい。しかしながら、交差部４０を構成する絶縁電線３０の少なくとも一つが細径の絶縁電線であることが好ましく、交差部４０を構成する絶縁電線３０のすべてが細径の絶縁電線であることがより好ましい。交差部４０を構成する絶縁電線３０が細径の絶縁電線であると、交差部４０の高さが高くなることを抑制できる。
【００７４】
また下側電線部４２をなす絶縁電線３０ａと上側電線部４４をなす絶縁電線３０ｂとが、太径の絶縁電線及び細径の絶縁電線の組み合わせで構成される場合、太径の絶縁電線を上側電線部４４としてもよいし、細径の絶縁電線を上側電線部４４としてもよい。
【００７５】
また一の交差部４０において一の下側電線部４２の上を複数の上側電線部４４が越える場合に、複数の上側電線部４４が太径の絶縁電線及び細径の絶縁電線の組み合わせで構成される場合、下側電線部４２の絶縁被覆３４のうち太径の絶縁電線と重なる部分が溶着されているとよい。
【００７６】
またこれまで示した例では、交差部４０における下側電線部４２を構成する絶縁電線３０ａと上側電線部４４を構成する絶縁電線３０ｂとは、少なくとも一方の端部側においてその接続先となる端末部を異にするものであったが、このことは必須の構成ではない。両方の端部側においてその接続先がそれぞれ同じ端末部である場合もあり得る。より具体的には、これまで示した例は、下側電線部４２を構成する絶縁電線３０ａの一方端部が第１コネクタに収容され、他方端部が第２コネクタに収容される場合、上側電線部４４を構成する絶縁電線３０ｂの少なくとも一方の端部が第１コネクタ及び第２コネクタとは別の第３コネクタに収容されるものである。これに対して下側電線部４２を構成する絶縁電線３０ａの一方端部が第１コネクタに収容され、他方端部が第２コネクタに収容される場合、上側電線部４４を構成する絶縁電線３０ｂにおいてもその一方端部が第１コネクタに収容され、他方端部が第２コネクタに収容されることもあり得る。
【００７７】
またこれまで示した例では、交差部４０における下側電線部４２と上側電線部４４とは固定されていなかったが、固定されている場合もあり得る。
【００７８】
またこれまで示した例では、シート材２０に対して一方主面上にのみ絶縁電線３０が配設されていたが、シート材２０に対して両主面上に絶縁電線３０が配設されていてもよい。この場合、一の絶縁電線３０がシート材２０に対して両主面上に配設されていてもよい。係る絶縁電線３０は、例えば、シート材２０の縁部の外方を通って一方主面から他方主面に移ってもよいし、シート材２０に形成された凹部、貫通孔などを通って一方主面から他方主面に移ってもよい。
【００７９】
また配線部材１０には、シート材２０とは別に保護材が取付けられていてもよい。係る保護材としては特に限定されるものでなく、例えば粘着テープ、コルゲートチューブ、保護シートなどを用いることができる。
【００８０】
また配線部材１０には、シート材２０とは別に防音材が取付けられていてもよい。かかる防音材は、例えば配線部材１０と他の部材との接触時に異音が生じにくくなるように設けられる。係る防音材としては特に限定されるものでなく、例えばウレタンテープなどの発泡樹脂を基材とした粘着テープを用いることができる。また例えば、配線部材１０にウレタンフォームなどが直接吹き付けられて防音材とされてもよい。
【００８１】
上記保護材、防音材が取付けられるに当たり、配線部材１０は、偏平なままであってもよいし、丸められてもよい。また上記保護材、防音材は、電線配設面に設けられてもよいし、電線配設面とは反対側に設けられてもよいし、その両方に設けられていてもよい。
【００８２】
なお、上記実施形態及び各変形例で説明した各構成は、相互に矛盾しない限り適宜組み合わせることができる。
【００８３】
以上のようにこの発明は詳細に説明されたが、上記した説明は、すべての局面において例示であって、この発明がそれに限定されるものではない。例示されていない無数の変形例が、この発明の範囲から外れることなく想定され得るものと解される。
【符号の説明】
【００８４】
１０  配線部材
２０  シート材
３０  絶縁電線
４０  交差部
４２  上側電線部
４４  下側電線部
Ｐ１  第１位置
Ｐ２  第２位置
【図１】
2020031532.tif 000003
【図２】
2020031532.tif 000004
【図３】
2020031532.tif 000005
【図４】
2020031532.tif 000006
【図５】
2020031532.tif 000007